(57)【要約】      （修正有）【課題】簡易な構造により、音が鳴る状態と鳴らない状態を切替可能な装身具を提供する。【解決手段】空洞部３を有する本体１と、前記空洞部３内に移動自在に収容された移動体２を備え、該移動体２が移動して前記空洞部３の内周面に衝突又は内周面を転動することで音を発するものであり、前記空洞部３の内周面に、嵌合凹部４を形成してあり、該嵌合凹部４は、前記移動体２が嵌合可能である。【選択図】図１
2019111310.tif 000002
【特許請求の範囲】
【請求項１】
空洞部を有する本体と、前記空洞部内に移動自在に収容された移動体を備え、
該移動体が移動して前記空洞部の内周面に衝突又は内周面を転動することで音を発するものであり、
前記空洞部の内周面に、嵌合凹部を形成してあり、
該嵌合凹部は、前記移動体が嵌合可能であることを特徴とする装身具。
【請求項２】
前記本体は、メダル状のものであって、垂直向きの姿勢において天地が定まるものであり、
前記本体が垂直向きで天地が正しい状態において、前記嵌合凹部が下側に位置しかつ上向きに開口しており前記移動体が前記嵌合凹部に嵌合するものであることを特徴とする請求項１記載の装身具。
【請求項３】
前記本体が水平向きの状態において、前記空洞部の少なくとも下側の内周面は、水平方向外周部に対して中心部が低くなっていることを特徴とする請求項２記載の装身具。
【発明の詳細な説明】
【技術分野】
【０００１】
本発明は、首に掛けるメダルなどの装身具に関する。
【背景技術】
【０００２】
スポーツの競技会などにおいて、入賞者へメダルを授与することが広く行われており、表彰式で入賞者の首にメダルを掛ける光景もよく見られる。このメダルにおいて、内部に空洞部を設けて小球などの移動体を収容し、移動体が空洞部内を移動して内周面に衝突することで音が鳴るようにしたものがある。特に、目の不自由な人が授与対象となる場合などに用いられており、金メダル、銀メダルといったメダルの種類ごとに、異なる音が鳴るようにしたものも存在している。
【０００３】
このような音が鳴るメダルは、特に目の不自由な人にとって、よりメダルの存在を認識しやすくなるものである。しかし、身に着けた状態で常に音が鳴り続けると、うるさく感じられたり、会話の妨げになったりする場合があり、また、メダルを授与する表彰式の進行を妨げてしまうおそれもある。
【０００４】
このような問題の解決手段として、従来、上記と同様の構成により音が鳴る装身具において、空洞部内に磁石を設け、移動体を磁石に吸着させることで移動を規制して、音が鳴らないようにするものが提案されている（特許文献１）。
【先行技術文献】
【特許文献】
【０００５】
【特許文献１】実公昭５５−２７４５４号公報
【発明の概要】
【発明が解決しようとする課題】
【０００６】
しかしながら、特許文献１の装身具では、磁石を用いているため、移動体の素材が磁石に吸着する鉄などの強磁性体に限定される。また、磁力が弱すぎると、移動体を確実に吸着して音を止めることができず、磁力が強すぎると、一度移動体を吸着した後で再び音を鳴らすことが困難になってしまう。よって、移動体の素材や重量に合わせて磁力を調整しなければならず、製造に手間が掛かるものであった。
【０００７】
本発明は、このような事情を鑑みたものであり、簡易な構造により、音が鳴る状態と鳴らない状態を切替可能な装身具を提供することを目的とする。
【課題を解決するための手段】
【０００８】
本発明のうち請求項１の発明は、空洞部を有する本体と、前記空洞部内に移動自在に収容された移動体を備え、該移動体が移動して前記空洞部の内周面に衝突又は内周面を転動することで音を発するものであり、前記空洞部の内周面に、嵌合凹部を形成してあり、該嵌合凹部は、前記移動体が嵌合可能であることを特徴とする。なお、嵌合凹部とは、移動体が嵌合してその移動が規制されるものであって、穴、窪み、切欠きなど、種々の形状のものを含む概念である。
【０００９】
本発明のうち請求項２の発明は、前記本体は、メダル状のものであって、垂直向きの姿勢において天地が定まるものであり、前記本体が垂直向きで天地が正しい状態において、前記嵌合凹部が下側に位置しかつ上向きに開口しており前記移動体が前記嵌合凹部に嵌合するものであることを特徴とする。なお、メダル状とは、円盤状や、多角形その他の形状でかつ平板状のもの、またそれらに凹凸や孔を設けたものを含む概念である。また、垂直向きの姿勢とは、メダル状の本体の表面又は裏面が概ね水平方向から視認できる姿勢を示す。さらに、天地が定まるとは、メダル状の本体に表示された文字や図柄、メダル状の本体そのものの形状、あるいは本体に設けられるその他の機構などに基づき、それらが正しく認識・機能できるように上下方向の向きが定まるものであることを示す。
【００１０】
本発明のうち請求項３の発明は、前記本体が水平向きの状態において、前記空洞部の少なくとも下側の内周面は、水平方向外周部に対して中心部が低くなっていることを特徴とする。
【発明の効果】
【００１１】
本発明のうち請求項１の発明によれば、本体が動くことにより、空洞部内を移動体が自在に移動して内周面に衝突又は内周面を転動し、音を発する。そして、音を止めたい場合には、本体を所定の向きにして空洞部内の移動体を嵌合凹部に嵌合させるだけで、移動体の移動が規制されて音が鳴らなくなる。さらに、再び音を鳴らしたい場合には、本体の向きを戻して移動体を嵌合凹部から脱出させればよい。このように、簡易な構造により、音が鳴る状態と鳴らない状態を切替可能であり、磁石などを用いるものではないから、移動体の素材は自由であり、製造も容易である。
【００１２】
本発明のうち請求項２の発明によれば、メダル状の本体を首に掛けるなどして、本体が垂直向きで天地が正しい状態になると、嵌合凹部が下側に位置し上向きに開口するので、移動体が空洞部内を落下して嵌合凹部に嵌合し、移動体の移動が規制されて音が鳴らなくなる。そして、音を鳴らしたい場合には、本体を垂直向きから所定角度以上傾けたり、上下に大きく動かしたりして、移動体を嵌合凹部から脱出させればよい。このように、本体の天地が正しい状態になると自動的に音が鳴らなくなり、音を鳴らしたいときだけ、容易な動作で鳴らすことができる。
【００１３】
本発明のうち請求項３の発明によれば、本体を垂直向きから所定角度以上傾けると、移動体が常に水平方向の中心部へ向かおうとするので、より衝突又は転動による音が鳴りやすくなる。
【図面の簡単な説明】
【００１４】
【図１】装身具の第一実施形態の三面図であり、（ａ）は前面図、（ｂ）は側面図、（ｃ）は下面図である。
【図２】第一実施形態の断面図であり、（ａ）は図１のＡ−Ａ線断面図、（ｂ）は図１のＢ−Ｂ線断面図である。
【図３】第一実施形態の嵌合凹部部分を示し、（ａ）は図２（ａ）の拡大図、（ｂ）は図２（ｂ）の拡大図である。
【図４】第一実施形態の斜視図であり、（ａ）は本体が垂直向きで音が鳴らない状態、（ｂ）は本体が水平向きで音が鳴る状態を示す。
【図５】装身具の第二実施形態の三面図であり、（ａ）は前面図、（ｂ）は側面図、（ｃ）は下面図である。
【図６】第二実施形態の嵌合凹部部分を示し、（ａ）は図５のＣ−Ｃ線断面図の拡大図、（ｂ）は図５のＤ−Ｄ線断面図の拡大図である。
【図７】装身具の第三実施形態の断面図である。
【図８】装身具の第四実施形態の二面図であり、（ａ）は前面図、（ｂ）は側面図である。
【発明を実施するための形態】
【００１５】
以下、本発明の装身具の具体的な内容について説明する。この装身具は、身体の種々の部位に身に着けるものを含むが、ここでは、競技会などで授与されるメダルの場合を例に挙げる。図１に示すように、装身具の第一実施形態は、金属製で円盤状、すなわちメダル状の本体１を備える。なお、以下においては、図４（ａ）に示すように、この本体１が垂直向き（円の中心軸が水平向き）の状態を基準とし、上下左右はそれぞれ図１（ａ）における上下左右を示し、前後はそれぞれ図１（ａ）における手前及び奥を示すものとする。本体１の前側面（表面１１）と後側面（裏面１２）には、刻印や着色などにより、文字や図柄を自在に表示できる。また、本体１の側周面１３の上端部には、上下に延びる円柱形状の接続部５を設けてあり、接続部５の上端部に、角鐶部６を設けてある。角鐶部６は、左右に延びる四角柱からなり、その左右長さは本体１の直径よりも短く、左右の略全長にわたって、前後に貫通する貫通孔６１を形成してある。この角鐶部６の貫通孔６１に、首掛け用のリボン７を通してあり、装身具を首に掛けられるようになっている。首に掛けると、本体１は体の前側で図４（ａ）に示す状態、すなわち垂直向きとなり、本体１の表面１１が前側水平方向から視認できる状態になる。よって、本体１が垂直向きで角鐶部６が上側に位置する状態が、天地が正しい状態となる。なお、本体１と、接続部５及び角鐶部６とは、すべて一体に成形するものであってもよいし、別体に成形したものを接合してもよい。
【００１６】
そして、本体１は、空洞部３を有している。図２に示すように、本体１は、表面１１及び裏面１２が薄肉状となっており、側周面１３も環状となっていて、これらの面に囲まれた、本体１と同心円状で本体１より一回り小さな円盤状の内部空間が、空洞部３となっている。また、側周面１３の下側半分に、空洞部３と外部空間とを連通するスリット１４を形成してある。スリット１４は、側周面１３の左端部から右端部まで延びており、その前後方向幅は、空洞部３の前後方向厚さよりも短い。
【００１７】
空洞部３内には、金属製の球からなる移動体２を収容してある。移動体２の直径は、空洞部３の前後方向厚さよりも短く、スリット１４の前後方向幅よりも長い。よって、移動体２は空洞部３内で移動自在であり、かつスリット１４を通り抜けることはない。この移動体２が移動して空洞部３の内周面に衝突又は内周面を転動すると、金属同士の接触となるので、鈴のような音を発するものである。
【００１８】
また、図３に示すように、本体１の左右方向中央の下側部には、空洞部３に向けて（すなわち、上向きに）開口する嵌合凹部４を形成してある。嵌合凹部４は、スリット１４を跨いで形成された略半球状の穴であって、空洞部３の内周面の下端部を外周側（下側）に向けて掘り込んだ形状であり、移動体２の下側半分がちょうど嵌合する大きさである。よって、この嵌合凹部４は、側周面１３の下端部のスリット１４を挟んで対向する位置に形成した切欠きであるともいえる。嵌合凹部４は、スリット１４と連通するものであるが、本体１の側周面１３の厚さよりも浅く、嵌合凹部４に嵌合した移動体２が外部へ抜け出すことはない。
【００１９】
次に、この装身具を実際に用いる際の挙動について説明する。本実施形態はメダルであるから、競技会などの表彰式で授与されることが想定される。贈呈者がメダルを持ってから授与対象者の首に掛けるまでの間及びメダルが首に掛けられた状態において、本体１は、図４（ａ）に示すように、リボン７にぶら下がって垂直向きで天地が正しい状態となる。この際、空洞部３が円盤状であり、すなわち上端部から上下方向中心部に向けて幅が広がり、上下方向中心部から下端部に向けて幅が狭まる形状であって、上下方向中間部に移動体２が引っ掛かる箇所がない。そして、その空洞部３の下端部に、上向きに開口する嵌合凹部４が位置しているので、移動体２は必ず空洞部３内をすぐに落下して嵌合凹部４に嵌合し、移動体２の移動が規制される。よって、この状態で本体１が揺れ動くなどしても、移動体２は嵌合凹部４に嵌合したままで、空洞部３の内周面に衝突又は内周面を転動しないので、メダルを授与する間や、メダルを首に掛けたまま歩いて移動する際に、音が鳴ることはない。そして、本体１を持つなどして、図４（ｂ）に示すように、本体１を水平向きにすれば、移動体２が嵌合凹部４から脱出する。よって、この状態で本体１を揺動させるなどすることで、空洞部３内を移動体２が自在に移動して内周面に衝突又は内周面を転動し、音を発する。
【００２０】
このような本発明の第一実施形態によれば、本体１を垂直向きで天地が正しい状態にすることで、自動的に音が鳴らない状態となるので、メダルを授与する間や、メダルを首に掛けた状態において、うるさく感じたり、会話の妨げになったりすることがなく、また、メダルを授与する表彰式の進行が妨げられることもない。そして、音を鳴らしたいときは、本体１を水平向きにして揺動させるという容易な動作で鳴らすことができる。また、本体１を垂直向きのまま上下に大きく動かすことでも、移動体２を嵌合凹部４から脱出させて音を鳴らすことができる。これらは、移動体２が嵌合する嵌合凹部４を設けるという簡易な構造により実現するものであり、磁石などを用いるものではないから、製造も容易である。そして、本体１や移動体２の素材が自由なので、素材の組み合わせにより音を異ならせることもできる。さらに、本体１にスリット１４を設けてあるので、空洞部３の内周面に移動体２が衝突又は内周面を移動体２が転動した際に、本体１が振動しやすく、すなわちより音が鳴りやすいものとなっている。
【００２１】
また、嵌合凹部４が、本体１のスリット１４により表裏二股に分かれた部分の両先端部に跨って形成してあり、この先端部は最も大きく振動する部分であるから、そこに移動体２が嵌合して振動を抑えることで、速やかに消音することができる。
【００２２】
次に、本発明の装身具の第二実施形態について、第一実施形態との相違点に絞って説明する。図５に示すように、第二実施形態は、第一実施形態と比較して、本体１の外形は同じであるが、その表面１１、裏面１２及び側周面１３がより薄肉状となっている。より詳しくは、表面１１、裏面１２及び側周面１３の厚さは、本体１の厚さの略１／２０となっていて、薄肉状にした分だけ、第一実施形態よりも空洞部３が大きくなっている。そして、図５及び図６に示すように、本体１の左右方向中央の下側部には、空洞部３に向けて（すなわち、上向きに）開口する嵌合凹部４を形成してある。嵌合凹部４は、スリット１４を跨いで形成された略円形状の穴であって、側周面１３を上下に貫通しており、移動体２の直径よりもやや小さい大きさである。よって、この嵌合凹部４は、側周面１３の下端部のスリット１４を挟んで対向する位置に形成した切欠きであるともいえるものであり、上向きだけではなく下向きにも開口している。この嵌合凹部４に移動体２が嵌合すると、移動体２の下側部分が本体１から下側に突出するが、嵌合凹部４の直径は移動体２の直径よりも小さいので、移動体２が外部へ抜け出すことはない。
【００２３】
このような本発明の第二実施形態によれば、第一実施形態と本体１の肉厚を異ならせることで、空洞部３の内周面に移動体２が衝突又は内周面を移動体２が転動した際に発する音を異ならせることができる。そしてこの第二実施形態は、その他において第一実施形態と同様の作用効果を奏するものである。
【００２４】
次に、本発明の装身具の第三実施形態について、第一実施形態との相違点に絞って説明する。図７に示すように、第三実施形態は、第一実施形態と比較して、本体１の外形は同じであるが、その表面１１の内周面１１ａ及び裏面１２の内周面１２ａが曲面となっている。より詳しくは、表面１１の内周面１１ａと裏面１２の内周面１２ａは対称な形状であって、何れも互いに向けて凹な球面の一部からなり、円形の本体１の中心が相互に最も離隔しており、外周部に向かうにつれて相互の距離が狭まる。すなわち、表面１１と裏面１２の何れかを下側にして本体１を水平向きにすると、下側の内周面１１ａ，１２ａは、水平方向外周部に対して中心部が低くなる。
【００２５】
このような本発明の第三実施形態によれば、本体１を垂直向きから所定角度以上傾けて水平に近い向きにすると、移動体２が常に水平方向の中心部へ向かおうとして、静止し難くなるので、より衝突又は転動による音が鳴りやすくなる。そしてこの第三実施形態は、その他において第一実施形態と同様の作用効果を奏するものである。
【００２６】
次に、本発明の装身具の第四実施形態について、第一実施形態との相違点に絞って説明する。図８に示すように、第四実施形態は、第一実施形態と比較して、本体１の形状は同じであるが、その表面１１の上部に、開口部１５を形成してある。より詳しくは、開口部１５は、本体１の表面１１を貫通して空洞部３に連通する円形の孔であって、移動体２の直径よりもやや大きく、空洞部３の上端部よりやや下側に形成してある。よって、開口部１５から移動体２を自由に挿入・取り出しできる。
【００２７】
このような本発明の第四実施形態によれば、音を鳴らしたい場合のみ、移動体２を、開口部１５を通じて空洞部３に挿入することとし、音を鳴らしたくない場合には、移動体２を、開口部１５を通じて空洞部３から取り出しておけば、確実に音が鳴らなくなり、音が鳴ると都合が悪い状況でも、心配なく本発明を使用できる。なお、開口部１５は、本体１の上部に設けてあるので、移動体２が意図せず空洞部３から抜け出すおそれが少ない。また、開口部１５に開閉自在又は着脱自在の蓋を設けるなどして、移動体２が空洞部３から抜け出すことを防いでもよい。そしてこの第四実施形態は、その他において第一実施形態と同様の作用効果を奏するものである。
【００２８】
なお、前記の実施形態の本体形状のメダル状とは、円盤状や、多角形その他の形状でかつ平板状のもの、またそれらに凹凸や孔を設けたものを含む概念であり、意匠性を考慮して自由に設定できる。
【００２９】
また、本発明は、前記の実施形態に限定されない。たとえば、空洞部内に移動体を複数個備えるとともに、本体に移動体の個数以上の複数の嵌合凹部を形成してあるか、複数個の移動体が嵌合する大きな嵌合凹部を形成してあってもよい。移動体が複数個あることで、より音が鳴りやすくなり、各移動体がそれぞれ嵌合凹部に嵌合することで、音が鳴らない状態にもなる。そして、移動体の個数を変えることで、音を異ならせることができる。よって、たとえば本発明が前記のようなメダルである場合に、特に目の不自由な人が、金メダル、銀メダル、銅メダルといったメダルの種類を音で明確に区別できるように、それぞれ空洞部に異なる個数の移動体を収容してもよい。
【００３０】
また、本体や移動体を構成する素材は、金属に限られず、木や樹脂などどのようなものであってもよいが、移動体が空洞部の内周面に衝突又は内周面を転動した際に良い音が鳴る組み合わせであることが望ましい。さらに、移動体の形状は、球に限られず、空洞部内を移動自在であればどのようなものであってもよい。たとえば多面体であれば、空洞部内を転動することでより様々な音が鳴るようになる。また、空洞部の複数の内周面（たとえば、メダル状の本体を水平向きにした状態における、空洞部の上側の内周面と下側の内周面）において、面の形状を異ならせてもよい。ここで、面の形状を異ならせるとは、面を湾曲させたり、面に凹凸を形成したり、面の表面加工を異ならせたりするなど、種々の場合を含む。これにより、どの面を下側にするかによって、移動体と空洞部の内周面との衝突又は転動の態様が異なり、音を変化させることができる。また、本体にスリットを設ける場合、スリットの長さは自由であるし、左右対称でなくてもよい。さらに、本体に開口部を設ける場合、開口部は、移動体を自由に挿入・取り出しできるものであれば、その形状や位置は限定されない。また、本体は、表側部分と裏側部分を当初より一体に成形してもよいし、別体に成形したものを接合してもよい。さらに、本発明は、メダルのほか、ペンダント、ブローチ、バッジ、ブレスレット、指輪など、種々の装身具に適用できる。
【００３１】
なお、本発明の装身具の構造は、音を鳴らすこと自体を主たる目的とする鈴（ベル）にも適用し得るものである。その際には、外形は本発明の装身具とは異なる従来の鈴（ベル）の形状であってよく、その本体に、空洞部、嵌合凹部及び移動体を備えるものである。
【符号の説明】
【００３２】
１  本体
２  移動体
３  空洞部
４  嵌合凹部
【図１】
2019111310.tif 000003
【図２】
2019111310.tif 000004
【図３】
2019111310.tif 000005
【図４】
2019111310.tif 000006
【図５】
2019111310.tif 000007
【図６】
2019111310.tif 000008
【図７】
2019111310.tif 000009
【図８】
2019111310.tif 000010
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
空洞部を有する本体と、前記空洞部内に移動自在に収容された移動体を備え、
該移動体が移動して前記空洞部の内周面に衝突又は内周面を転動することで音を発するものであり、
前記空洞部の内周面に、嵌合凹部を形成してあり、
該嵌合凹部は、前記移動体が嵌合可能であり、
前記移動体が前記嵌合凹部に嵌合することで前記本体の振動が抑えられるものであることを特徴とする装身具。
【請求項２】
空洞部を有する本体と、前記空洞部内に移動自在に収容された移動体を備え、
該移動体が移動して前記空洞部の内周面に衝突又は内周面を転動することで音を発するものであり、
前記空洞部の内周面に、嵌合凹部を形成してあり、
該嵌合凹部は、前記移動体が嵌合可能であり、
前記本体は、メダル状のものであって、垂直向きの姿勢において天地が定まるものであり、
前記本体が垂直向きで天地が正しい状態において、前記嵌合凹部が下側に位置しかつ上向きに開口しており前記移動体が前記嵌合凹部に嵌合するものであることを特徴とする装身具。
【請求項３】
前記本体が水平向きの状態において、前記空洞部の少なくとも下側の内周面は、水平方向外周部に対して中心部が低くなっていることを特徴とする請求項２記載の装身具。
【手続補正２】
【補正対象書類名】明細書
【補正対象項目名】０００８
【補正方法】変更
【補正の内容】
【０００８】
本発明のうち請求項１の発明は、空洞部を有する本体と、前記空洞部内に移動自在に収容された移動体を備え、該移動体が移動して前記空洞部の内周面に衝突又は内周面を転動することで音を発するものであり、前記空洞部の内周面に、嵌合凹部を形成してあり、該嵌合凹部は、前記移動体が嵌合可能であり、前記移動体が前記嵌合凹部に嵌合することで前記本体の振動が抑えられるものであることを特徴とする。なお、嵌合凹部とは、移動体が嵌合してその移動が規制されるものであって、穴、窪み、切欠きなど、種々の形状のものを含む概念である。
【手続補正３】
【補正対象書類名】明細書
【補正対象項目名】０００９
【補正方法】変更
【補正の内容】
【０００９】
本発明のうち請求項２の発明は、空洞部を有する本体と、前記空洞部内に移動自在に収容された移動体を備え、該移動体が移動して前記空洞部の内周面に衝突又は内周面を転動することで音を発するものであり、前記空洞部の内周面に、嵌合凹部を形成してあり、該嵌合凹部は、前記移動体が嵌合可能であり、前記本体は、メダル状のものであって、垂直向きの姿勢において天地が定まるものであり、前記本体が垂直向きで天地が正しい状態において、前記嵌合凹部が下側に位置しかつ上向きに開口しており前記移動体が前記嵌合凹部に嵌合するものであることを特徴とする。なお、メダル状とは、円盤状や、多角形その他の形状でかつ平板状のもの、またそれらに凹凸や孔を設けたものを含む概念である。また、垂直向きの姿勢とは、メダル状の本体の表面又は裏面が概ね水平方向から視認できる姿勢を示す。さらに、天地が定まるとは、メダル状の本体に表示された文字や図柄、メダル状の本体そのものの形状、あるいは本体に設けられるその他の機構などに基づき、それらが正しく認識・機能できるように上下方向の向きが定まるものであることを示す。
【手続補正４】
【補正対象書類名】明細書
【補正対象項目名】００１２
【補正方法】変更
【補正の内容】
【００１２】
本発明のうち請求項２の発明によれば、本体が動くことにより、空洞部内を移動体が自在に移動して内周面に衝突又は内周面を転動し、音を発する。そして、メダル状の本体を首に掛けるなどして、本体が垂直向きで天地が正しい状態になると、嵌合凹部が下側に位置し上向きに開口するので、移動体が空洞部内を落下して嵌合凹部に嵌合し、移動体の移動が規制されて音が鳴らなくなる。さらに、再び音を鳴らしたい場合には、本体を垂直向きから所定角度以上傾けたり、上下に大きく動かしたりして、移動体を嵌合凹部から脱出させればよい。このように、簡易な構造により、音が鳴る状態と鳴らない状態を切替可能であり、磁石などを用いるものではないから、移動体の素材は自由であり、製造も容易である。そして、本体の天地が正しい状態になると自動的に音が鳴らなくなり、音を鳴らしたいときだけ、容易な動作で鳴らすことができる。
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
空洞部を有する本体と、前記空洞部内に移動自在に収容された移動体を備え、
該移動体が移動して前記空洞部の内周面に衝突又は内周面を転動することで音を発するものであり、
前記本体に、前記空洞部と外部空間とを連通するスリットを形成してあり、
前記空洞部の内周面に、前記スリットを跨いで嵌合凹部を形成してあり、
該嵌合凹部は、前記移動体が嵌合可能であり、
前記移動体が前記スリットを跨ぐようにして前記嵌合凹部に嵌合することで前記本体の振動が抑えられるものであることを特徴とする装身具。
【請求項２】
空洞部を有する本体と、前記空洞部内に移動自在に収容された移動体を備え、
該移動体が移動して前記空洞部の内周面に衝突又は内周面を転動することで音を発するものであり、
前記空洞部の内周面に、嵌合凹部を形成してあり、
該嵌合凹部は、前記移動体が嵌合可能であり、
前記本体は、メダル状のものであって、垂直向きの姿勢において天地が定まるものであり、
前記本体が垂直向きで天地が正しい状態において、前記嵌合凹部が下側に位置しかつ上向きに開口しており前記移動体が前記嵌合凹部に嵌合するものであることを特徴とする装身具。
【請求項３】
前記本体が水平向きの状態において、前記空洞部の少なくとも下側の内周面は、水平方向外周部に対して中心部が低くなっていることを特徴とする請求項２記載の装身具。
【手続補正２】
【補正対象書類名】明細書
【補正対象項目名】０００８
【補正方法】変更
【補正の内容】
【０００８】
本発明のうち請求項１の発明は、空洞部を有する本体と、前記空洞部内に移動自在に収容された移動体を備え、該移動体が移動して前記空洞部の内周面に衝突又は内周面を転動することで音を発するものであり、前記本体に、前記空洞部と外部空間とを連通するスリットを形成してあり、前記空洞部の内周面に、前記スリットを跨いで嵌合凹部を形成してあり、該嵌合凹部は、前記移動体が嵌合可能であり、前記移動体が前記スリットを跨ぐようにして前記嵌合凹部に嵌合することで前記本体の振動が抑えられるものであることを特徴とする。なお、嵌合凹部とは、移動体が嵌合してその移動が規制されるものであって、穴、窪み、切欠きなど、種々の形状のものを含む概念である。